(57)【要約】【課題】  板材にファンユニットを容易に後付けすることができ、しかも、ファンユニットに大きな振動が発生した場合にもその振動が板材に伝達されるのを良好に抑制することのできるファンユニット取り付け具の提供。【解決手段】  ファンユニット取り付け具１０は、ファンユニットのフランジ５に嵌合する制振材料製の嵌合部１１と、その嵌合部１１を外周から支持し、板材８に固定可能な固定部１３とを備えている。また、固定部１３の上面に形成された逃し穴１３ｄからは、嵌合部１１の一部１１ｄが露出している。フランジ５から嵌合部１１に圧力が加わると、上記一部１１ｄが逃し穴１３ｄを通って外側方向に変形して上記圧力を緩和するため、板材８に振動が伝達されるのを良好に抑制することができる。【選択図】図６
2008124257.tif 000002
【特許請求の範囲】
【請求項１】
モータ及び冷却ファンを一体化したファンユニットを板材に取り付けるファンユニット取り付け具であって、
制振材料によって構成され、上記ファンユニットの四隅に嵌合可能な嵌合部と、
該嵌合部をその外周から支持し、上記板材に固定可能な固定部と、
を備え、
上記固定部には、上記ファンユニットとも上記板材とも当接も隣接もしない位置に、変形した上記嵌合部を外側に逃がす逃し穴が、
設けられたことを特徴とするファンユニット取り付け具。
【請求項２】
上記逃し穴は、上記固定部の上記板材との対向面とは反対側に設けられたことを特徴とする請求項１記載のファンユニット取り付け具。
【請求項３】
上記嵌合部は、上記ファンユニットに設けられた固定用のネジ穴の少なくとも片面を外周から覆うことを特徴とする請求項１または２記載のファンユニット取り付け具。
【請求項４】
上記嵌合部と上記固定部とは、二色成形により一体化されたことを特徴とする請求項１〜３のいずれかに記載のファンユニット取り付け具。
【請求項５】
上記固定部には、上記板材に固定するためのネジ穴が形成されたことを特徴とする請求項１〜４のいずれかに記載のファンユニット取り付け具。
【発明の詳細な説明】
【技術分野】
【０００１】
本発明は、モータ及び冷却用ファンを一体化したファンユニットを板材に取り付けるファンユニット取り付け具に関し、詳しくは、上記ファンユニットの振動が上記板材に伝達されるのを抑制可能なファンユニット取り付け具に関する。
【背景技術】
【０００２】
従来より、モータと冷却用ファンとを一体化し、一つのファンユニットとしてパソコン，プリンタ等の各種機器に取り付けることがなされている。また、この種のファンユニットは一般的に、送風方向の前後両端面が略正方形の直方体状に構成され、その四隅にネジ穴が形成されている。このように構成されたファンユニットは、上記ネジ穴に雄ネジを挿入することによって、各種機器の筐体等の板材に固定することができる。
【０００３】
ところが、ファンユニットはファンの駆動時に振動を発生するため、この振動が上記板材に伝達されて騒音となる場合がある。そこで、ファンユニットを雄ネジによって固定する際に、その雄ネジが挿通可能な円環状の防振用ゴムを、ファンユニットと板材との間に配設することが提案されている（例えば、特許文献１参照）。
【０００４】
また、ファンユニットの振動が伝達されるのを一層良好に防止するものとして、制振ゴム等によって構成された４個のファンユニット取り付け具をファンユニットの四隅に外周から嵌合させ、そのファンユニット及びファンユニット取り付け具を筐体に設けた受け入れ部に挿入して取り付けることも提案されている（例えば、特許文献２参照）。
【特許文献１】特開平９−２７０９７５号公報
【特許文献２】特許３６０２７６９号公報
【発明の開示】
【発明が解決しようとする課題】
【０００５】
ところが、特許文献２の機構では、ファンユニットの振動が筐体に伝達されるのを極めて良好に抑制できるものの、ファンユニットを板材に直接取り付けることができず、機器の筐体等に受け入れ部を設ける必要があった。このため、ファンユニットを各種機器に後付けする場合には適用が困難な場合があった。また、特許文献１の機構では、ファンユニットに大きな振動が発生した場合にはその振動が板材に伝達されるのを充分に抑制することができない。
【０００６】
そこで、本発明は、板材にファンユニットを容易に後付けすることができ、しかも、ファンユニットに大きな振動が発生した場合にもその振動が板材に伝達されるのを良好に抑制することのできるファンユニット取り付け具を提供することを目的としてなされた。
【課題を解決するための手段】
【０００７】
上記目的を達するためになされた本発明は、モータ及び冷却ファンを一体化したファンユニットを板材に取り付けるファンユニット取り付け具であって、制振材料によって構成され、上記ファンユニットの四隅に嵌合可能な嵌合部と、該嵌合部をその外周から支持し、上記板材に固定可能な固定部と、を備え、上記固定部には、上記ファンユニットとも上記板材とも当接も隣接もしない位置に、変形した上記嵌合部を外側に逃がす逃し穴が、設けられたことを特徴としている。
【０００８】
このように構成された本発明のファンユニット取り付け具は、ファンユニットの四隅に嵌合部を嵌合させ、その嵌合部を固定部を介して板材に固定することによって使用される。このように、本発明のファンユニット取り付け具は、上記嵌合部を外周から支持し、板材に固定可能な固定部を備えているため、板材にファンユニットを容易に後付けすることができる。
【０００９】
また、本発明のファンユニット取り付け具では、ファンユニットの四隅に嵌合する嵌合部が制振材料によって構成されているため、ファンユニットで発生した振動が板材に伝達されるのを良好に抑制することができる。しかも、本発明では、上記固定部のファンユニットとも板材とも当接も隣接もしない位置に、変形した上記嵌合部を外側に逃がす逃し穴を設けている。このため、ファンユニットに大きな振動が発生して嵌合部に圧力が加わった場合でも、嵌合部が逃し穴を通って外側方向に変形することによって、上記圧力を緩和し、一層良好に振動を抑制することができる。
【００１０】
従って、本発明のファンユニット取り付け具では、板材にファンユニットを容易に後付けすることができ、しかも、ファンユニットに大きな振動が発生した場合にもその振動が板材に伝達されて騒音が発生するのを良好に抑制することができる。
【００１１】
なお、本発明は以下の構成に限定されるものではないが、上記逃し穴は、上記固定部の上記板材との対向面とは反対側に設けられてもよい。この場合、ファンユニットで発生した振動を一層効率的に吸収し、その振動が板材に伝達されるのを一層良好に抑制することができる。
【００１２】
また、上記嵌合部は、上記ファンユニットに設けられた固定用のネジ穴の少なくとも片面を外周から覆ってもよい。この場合、前述のように嵌合部に圧力が加わると、嵌合部はネジ穴の内側方向にも変形することができる。従って、この場合、ファンユニットで発生した振動を一層効率的に吸収し、その振動が板材に伝達されるのを一層良好に抑制することができる。
【００１３】
更に、上記嵌合部と上記固定部とは、二色成形により一体化されてもよい。この場合、嵌合部と固定部とが良好に一体化され、ファンユニット取り付け具の耐久性及び再利用性を一層良好に向上させることができる。
【００１４】
また更に、上記固定部には、上記板材に固定するためのネジ穴が形成されてもよい。上記固定部は、両面テープや面ファスナによって板材に固定されてもよいが、このように、上記固定部にネジ穴が形成され、そのネジ穴に雄ネジを挿通することで固定部を板材に固定可能な場合は、固定部を一層強固に板材に固定することができる。従って、この場合、取り付け後のファンユニットの信頼性が一層向上する。
【発明を実施するための最良の形態】
【００１５】
次に、本発明の実施の形態を、図面と共に説明する。図１は、本発明が適用されたファンユニット取り付け具（以下、単に取り付け具という）１０の使用状態を例示する斜視図である。図１に例示するように、取り付け具１０が使用されるファンユニット１は、図示省略した直流モータ（交流モータであってもよい）及び冷却ファン３ａを一体に備えた本体３と、その本体３の送風方向前後両端に設けられた略正方形板状の一対のフランジ５，５とを備えたいわゆるオープンフランジタイプのファンユニットである。また、各フランジ５，５の四隅には、雄ネジを挿通可能なネジ穴５ａが設けられている。
【００１６】
そして、取り付け具１０は、図１に例示するように、いずれか一方のフランジ５の四隅にネジ穴５ａを覆うように４個嵌合される。このように取り付け具１０を嵌合させた後で、各取り付け具１０に設けられた後述のネジ穴１３ａから雄ネジの一例としてのビス７（図５参照）を挿通することにより、ファンユニット１を板材８（図５参照）に固定することができる。
【００１７】
次に、取り付け具１０の構成について詳細に説明する。なお、板材８の配置は水平，鉛直，斜め等どのような配置であってもよいが、以下、説明の便宜上、取り付け具１０の板材８に対向する側を下方、ファンユニット１に嵌合する側を前方として、取り付け具１０の詳細な構成を説明する。
【００１８】
図２（Ｂ）は、取り付け具１０の構成を表す平面図であり、図２（Ａ）はそのＡ−Ａ線断面図である。また、図２（Ｃ）は取り付け具１０の構成を表す側面図であり、図２（Ｅ）はそのＢ−Ｂ線断面図である。更に、図２（Ｄ）は取り付け具１０の構成を表す正面図、図２（Ｆ）はその下面図である。
【００１９】
図２（Ａ），（Ｄ），（Ｅ）に示すように、取り付け具１０は、フランジ５の四隅に外側から嵌合する嵌合部１１と、その嵌合部１１を外周から支持し、板材８に固定可能な固定部１３とを備えている。ここで、嵌合部１１は、ＩＩＲ（ブチルゴム），ＮＤＲ，ノルボルネン系ゴム，ウレタンゴム等の制振性を有するエラストマ（例えば、「ＫＧ−ＧＥＬ」：商品名，北川工業製）にて構成され、固定部１３は、上記エラストマと二色成形可能な任意の樹脂（例えばポリプロピレン）にて構成されている。
【００２０】
また、フランジ５の四隅が嵌合する嵌合部１１の嵌合穴１１ａには、フランジ５の寸法公差を吸収するためのリブ１１ｂが、フランジ５の挿入方向に平行に上下に２本ずつ形成されている。なお、このリブ１１ｂは、嵌合部１１にフランジ５を仮装着した際の押さえとしても機能する。また、この嵌合穴１１ａ及びリブ１１ｂの構成の詳細については、図３（Ａ），（Ｂ）に示す斜視図も参照されたい。
【００２１】
固定部１３の下面は、板材８に密着可能に平面状に構成され、その中央には、板材８に設けられた固定穴８ａ（図５参照）に嵌合するボス１３ｂが形成されている。更に、嵌合部１１は固定部１３の前方側から一部下方に露出し、嵌合部１１及び固定部１３の下面には、成形上必要とされるゲート凹１１ｃや肉盗み１３ｃが形成されている。
【００２２】
また、固定部１３の後方は、嵌合部１１が収容される前方に比べて薄肉に構成され、そこに前述のネジ穴１３ａが設けられている。更に、固定部１３の上面の略中央には、図２（Ａ），（Ｂ）に示すように、嵌合部１１の一部１１ｄを上方に露出させる逃し穴１３ｄが設けられている。
【００２３】
ここで、固定部１３における嵌合部１１の収容部１３ｅの成形方法について説明する。本実施の形態では、図４に示すように、逃し穴１３ｄに対応する断面形状を有するコアピン９１を上方から挿入し、嵌合部１１の下方への露出部に対応する断面形状のコア９３を下方から挿入して両者を当接させた上で、固定部１３の全体形状を射出成型する。固定部１３を構成する樹脂の硬化後、コアピン９１及びコア９３を抜き取れば、収容部１３ｅが形成される。この収容部１３ｅの内部に、二色成形により前述の嵌合部１１を成形すれば、本実施の形態の取り付け具１０が得られる。
【００２４】
図５（Ａ），（Ｂ）は、上記のように構成された取り付け具１０の板材８への取り付け方法を例示する説明図である。図５（Ａ），（Ｂ）に例示するように、取り付け具１０を板材８へ取り付ける場合は、ボス１３ｂに対応した固定穴８ａと、ネジ穴１３ａに対応したネジ穴８ｂとを、予め板材８に設けておく。そして、固定穴８ａにボス１３ｂを嵌合させ、ネジ穴８ｂ，１３ａを重ねた上で、ネジ穴８ｂ，１３ａにビス７を挿通してナット９を締め付けることにより、取り付け具１０を板材８に固定することができる。なお、ビス７の挿通方向は、図５（Ａ）に例示するように板材８の下方から挿通してもよく、図５（Ｂ）に例示するように取り付け具１０の上方から挿通してもよい。
【００２５】
本実施の形態の取り付け具１０は、このように、板材８に固定穴８ａとネジ穴８ｂとを設けるだけで容易に後付けすることができる。しかも、取り付け具１０は、固定穴８ａとネジ穴８ｂとの２点によって固定されるため、使用中に取り付け具１０が回転するのも良好に抑制することができる。
【００２６】
また、このように取り付け具１０を介してファンユニット１を板材８に固定した場合、嵌合部１１を構成するエラストマが制振性を有するため、ファンユニット１で発生した振動が板材８に伝達されるのを良好に抑制することができる。しかも、取り付け具１０では、前述のように逃し穴１３ｄを設けたことにより、次のように一層良好に振動を抑制することができる。
【００２７】
すなわち、図６に例示するように取り付け具１０を介してファンユニット１のフランジ５を板材８に固定した場合、フランジ５から嵌合部１１に圧力が加わると、図６に二点鎖線で例示するように、嵌合部１１の一部１１ｄが逃し穴１３ｄを通って外側方向に変形する。逃し穴１３ｄは、ファンユニット１とも板材８とも当接も隣接もしない位置に形成されているので、この一部１１ｄの変形により、ファンユニット１や板材８を押圧することなく上記圧力を緩和することができる。従って、ファンユニット１に大きな振動が発生して嵌合部１１に圧力が加わった場合でも、嵌合部１１が逃し穴１３ｄを通って外側方向に変形することによって、上記圧力を緩和し、一層良好に振動を抑制することができる。
【００２８】
また、上記一部１１ｄの変形により、嵌合部１１のファンユニット１側端面（前端面）も図６に二点鎖線で例示するように凹む。更に、前述のように嵌合穴１１ａはフランジのネジ穴５ａを覆っているので、嵌合穴１１ａの内壁面も図６に二点鎖線で例示するようにネジ穴５ａの内側方向に変形する。このため、取り付け具１０では、ファンユニット１で発生した振動を一層効率的に吸収し、その振動が板材８に伝達されて騒音が発生するのを極めて良好に抑制することができる。
【００２９】
更に、上記一部１１ｄは成形時において逃し穴１３ｄの内部まで侵入しているので、嵌合部１１と固定部１３とが良好に一体化され、しかも、取り付け具１０は二色成形によって一体化されているので、嵌合部１１と固定部１３とは一層良好に一体化される。従って、取り付け具１０の耐久性及び再利用性を一層良好に向上させることができる。
【００３０】
なお、本発明は上記実施の形態に何ら限定されるものではなく、本発明の要旨を逸脱しない範囲で種々の形態で実施することができる。例えば、図７に示す取り付け具１１０のように、大きな逃し穴１３ｄを設けて、上記一部１１ｄとしてより多くの部分を露出させてもよい。この場合、上記圧力を一層良好に緩和して、板材８に振動が伝達されるのを一層良好に抑制することができる。
【００３１】
また、図８に示す取り付け具２１０のように、逃し穴１３ｄを複数設けて、上記一部１１ｄとして複数の部分を露出させてもよい。この場合も、上記圧力を一層良好に緩和して、板材８に振動が伝達されるのを一層良好に抑制することができる。
【００３２】
更に、逃し穴１３ｄは必ずしも固定部１３の上面に設ける必要はなく、例えば、固定部１３の側面や後面に設けてもよい。但し、上記のように固定部１３の上面に逃し穴１３ｄを設けた場合、ファンユニット１で発生した振動を一層効率的に吸収し、その振動が板材８に伝達されるのを一層良好に抑制することができる。
【００３３】
また更に、固定部１３は、必ずしもネジ穴１３ａを有する必要はなく、両面テープや面ファスナ等を利用して固定されてもよい。但し、ネジ穴１３ａにビス７等の雄ネジを挿通して固定される場合、固定部１３を一層強固に板材８に固定することができ、取り付け後のファンユニット１の信頼性が一層向上する。
【００３４】
また、上記実施の形態では、いわゆるオープンフランジタイプのファンユニット１を板材８に固定する場合を例にとって説明したが、本発明は、リブ付きフランジタイプのファンユニットを固定する場合や、フランジがなくファンユニット全体が直方体状の筐体に収納されている場合にも同様に適用することができる。この場合、嵌合部１１は、ファンユニットの角部（四隅）全体に外周から嵌合する大きな嵌合穴１１ａを有してもよい。
【図面の簡単な説明】
【００３５】
【図１】本発明が適用されたファンユニット取り付け具の使用状態を例示する説明図である。
【図２】そのファンユニット取り付け具の構成を表す平面図，側面図，正面図，下面図，断面図である。
【図３】そのファンユニット取り付け具の構成を表す斜視図である。
【図４】そのファンユニット取り付け具の固定部の成形方法を表す説明図である。
【図５】そのファンユニット取り付け具の板材への取り付け方法を例示する説明図である。
【図６】そのファンユニット取り付け具の効果を表す説明図である。
【図７】そのファンユニット取り付け具の変形例の構成を表す斜視図である。
【図８】そのファンユニット取り付け具の他の変形例の構成を表す斜視図である。
【符号の説明】
【００３６】
１…ファンユニット      ５…フランジ      ５ａ…ネジ穴      ７…ビス
８…板材      ８ｂ…ネジ穴      １０，１１０，２１０…ファンユニット取り付け具
１１…嵌合部      １１ａ…嵌合穴      １１ｂ…リブ      １１ｄ…一部
１３…固定部      １３ａ…ネジ穴      １３ｄ…逃し穴      １３ｅ…収容部
９１…コアピン      ９３…コア
【図１】
2008124257.tif 000003
【図２】
2008124257.tif 000004
【図３】
2008124257.tif 000005
【図４】
2008124257.tif 000006
【図５】
2008124257.tif 000007
【図６】
2008124257.tif 000008
【図７】
2008124257.tif 000009
【図８】
2008124257.tif 000010